(57)【特許請求の範囲】
【請求項１】
容器内に舞い上がらせた粉体又は粒体を、気流に乗せて容器の外へ排出するように構成した粉粒体供給装置であって、
上記容器の上側部に輸送用気流の入口と出口を夫々設ける一方、容器内には、空気噴射ノズルを取付けた空気供給管を水平回転自在に支持して、圧縮空気供給源から送られて来る圧縮空気を上記の空気供給管を通して空気噴射ノズルから容器内部に向けて噴射させることによって、空気噴射ノズルと一体に空気供給管を水平回転させながら容器内に収容した粉体又は粒体を舞い上がらせるように構成すると共に、上記容器の上側部に設けた輸送用気流の入口と出口に各々流入管と排出管を連設し、これ等流入管と排出管のいずれか一方又は両方に、外部より手動又は自動によって作動調整自在に構成した風量調整用のバルブを設けたことを特徴とする粉粒体供給装置。
【請求項２】
前記空気供給管の中央部分を、前記容器内に立設した圧縮空気導入管の上端部にロータリーエアージョイントを介して水平回転自在に、且つ、圧縮空気供給源から送られて来る圧縮空気を空気供給管に対して供給自在にジョイントすると共に、空気供給管には複数の空気噴射ノズルを容器の内部に向けて一方向に傾斜させて取付けたことを特徴とする請求項１記載の粉粒体供給装置。
【請求項３】
その中心部を前記圧縮空気導入管に支持されて水平回転する空気供給管に対して、複数の空気噴射ノズルを夫々中心からの距離を違えた位置に取付けたことを特徴とする請求項１又は２記載の粉粒体供給装置。
【発明の詳細な説明】
【０００１】
【発明の属する技術分野】
本発明は、各種の粉体又は粒体を気流に乗せて供給（輸送）することができる粉粒体供給装置に関するものである。
【０００２】
【従来の技術】
粉体及び粒体を気流に乗せて供給する粉粒体用の供給装置に関しては、従来より、例えば実開昭５２−９６３３１号公報に記載されている「分散粒子の供給装置」に見られるように、容器内の粉体を高速気流で舞い上がらせ、これを排出口から排出して輸送するように構成したもの、或は、実開平３−１２２０２３号公報に記載されている「粉体排出装置」に見られるように、容器内の下側から加圧空気を送り、且つ、上部の排出管から粉体を排出することによって、粉体を輸送するように構成すると共に、上記の排出管を２本と成し、容器内の粉体量に応じて一方の排出口を開閉操作することにより、粉体量が多い時に粉体がまとまって排出しないように調整して、常に同じ濃度を維持しながら輸送できるように工夫したもの等が存在する。
【０００３】
【発明が解決しようとする課題】
しかし、上記前者の公報に記載されている「分散粒子の供給装置」では、高速気流が噴射される噴射口が容器に１箇所しか設けられていないため、噴射口部分の粒子だけが丁度掘られたように噴射されてしまって、その周囲に粒子が残って一様に排出できない問題があった。
【０００４】
また、上記後者の公報に記載されている「粉体排出装置」は、容器の下から目皿を通して加圧空気を送ることにより、上部の排出管から排出される粉体を舞い上げて輸送するため、粉体の分散は可能であるが、排出管を２本にして粉体の量に応じてその排出口を開閉操作しなくてはならないから、操作が非常に煩雑化する問題があった。
【０００５】
そこで本発明の技術的課題は、出来るだけ簡単な方法で容器内の粉体又は粒体を全体的に舞い上がらせて、粉体又は粒体を空気中に均一に分散させて供給できると共に、均一に分散された粉体の輸送量をコントロール可能に構成した粉粒体供給装置を提供することである。
【０００６】
【課題を解決するための手段】
（１）  上記の技術的課題を解決するために、本発明では前記請求項１に記載の如く、容器内に舞い上がらせた粉体又は粒体を、気流に乗せて容器の外へ排出するように構成した粉粒体供給装置であって、上記容器の上側部に輸送用気流の入口と出口を夫々設ける一方、容器内には、空気噴射ノズルを取付けた空気供給管を水平回転自在に支持して、圧縮空気供給源から送られて来る圧縮空気を上記の空気供給管を通して空気噴射ノズルから容器内部に向けて噴射させることによって、空気噴射ノズルと一体に空気供給管を水平回転させながら容器内に収容した粉体又は粒体を舞い上がらせるように構成すると共に、上記容器の上側部に設けた輸送用気流の入口と出口に各々流入管と排出管を連設し、これ等流入管と排出管のいずれか一方又は両方に、外部より手動又は自動によって作動調整自在に構成した風量調整用のバルブを設けるように構成している。
【０００７】
（２）  また、本発明では前記請求項２に記載の如く、前記空気供給管の中央部分を、前記容器内に立設した圧縮空気導入管の上端部にロータリーエアージョイントを介して水平回転自在に、且つ、圧縮空気供給源から送られて来る圧縮空気を空気供給管に対して供給自在にジョイントすると共に、空気供給管には複数の空気噴射ノズルを容器の内部に向けて一方向に傾斜させて取付けるように構成している。
【０００８】
（３）  また、本発明では前記請求項３に記載の如く、その中心部を前記圧縮空気導入管に支持されて水平回転する空気供給管に対して、複数の空気噴射ノズルを夫々中心からの距離を違えた位置に取付けるように構成している。
【０００９】
前記（１）で述べた請求項１に係る手段によれば、圧縮空気源から圧縮空気を空気供給管に送ってこれを空気噴射ノズルから噴射させると、この圧縮空気の噴射による推進力を受けて、空気供給管が空気噴射ノズルと一体に容器内で水平回転するため、容器内の全体に圧縮空気が満遍無く噴射されて、粉体又は粒体（以下単に粉粒体と言う）を均一に分散した状態に舞い上げることができるものであって、圧縮空気を空気噴射ノズルから噴射させるだけの極めて簡単な方法によって、均一に分散された粉粒体をその分散状態のまま輸送用気流に乗せて出口から容器の外に排出（供給）することを可能にする。
【００１０】
更に上記（１）で述べた請求項１に係る手段によれば、容器の上部に設けた輸送用気流の入口と出口に連設されている流入管又は排出管のいずれか一方、又は両方に設けた風量調整バルブを、外部より手動又は自動にて作動調整することによって、均一に分散された粉粒体の輸送量（輸送濃度）を、必要に応じて適宜加減調節することを可能にする。
【００１１】
前記（２）で述べた請求項２に係る手段によれば、空気供給管に対して複数の空気噴射ノズルを傾斜させて取付け、更に、この空気供給管はロータリーエアージョイントを介して圧縮空気導入管の上端部に水平回転自在に取付けられているため、空気噴射ノズルから圧縮空気が噴射されると、その噴射力の反動で空気供給管が回転し、且つ、回転しながら容器内部の全体に対して圧縮空気を均等に噴射して、粉粒体を均一に分散させて舞い上げることができると共に、水平回転する空気供給管に対してロータリーエアージョイントが圧縮空気を間断無く連続的に送り込むため、圧縮空気を噴射しながら空気供給管が一定の速度で連続的に水平回転することを可能にする。
【００１２】
前記（３）で述べた請求項３に係る手段によれば、複数の空気噴射ノズルの取付位置、即ち、回転中心からの距離を夫々変えたので、複数の空気噴射ノズルが夫々異なった回転軌跡を示すことになるため、圧縮空気を容器内の全体に対して満遍無く行き届かせることを可能にする。
【００１３】
【発明の実施の形態】
以下に、本発明に係る粉粒体供給装置の実施の形態を図面と共に説明すると、図１は本発明の構成を説明した正面図、図２はその一部断面側面図、図３は同じく一部断面背面図、図４は平断面図を示したものであって、これ等の図面に於いて夫々符号１で全体的に示したのは、内部１Ｈに粉粒体ＦＲを収容する容器、１Ｋはその把手、２は覗き窓２Ａ，２Ａを備えた上蓋、３…は移動用の自在車輪、３Ａ…はその取付軸で、粉粒体ＦＲは上蓋２を取外して容器１内に投入される仕組に成っている。
【００１４】
４と５は、上記容器１の上側部に左右に間隔をあけて設けた輸送用気流の入口と出口、４′、５′はこれ等入口４と出口５に連設した気流の流入管と排出管で、輸送用の気流はブロアー等（図示省略）の吸引作用又は送風作用をうけて流入管４′から入口４を通って容器１内に入り、次いで、容器１内の上側部を通って出口５から排出管５′を経て被供給部に向けて排出される仕組に成っていて、上記流入管４′の内部には、輸送量を調節する風量調整バルブ４Ｔが設けられている。
【００１５】
更に図中、６は上記容器１の内部中心に立設した圧縮空気導入管で、６Ａは圧縮空気供給用の下端供給口、７はこの導入管６の上端部６Ｂに取付たロータリーエアージヨイント、８はその中間部をロータリーエアージヨイント７を介することにより、上記圧縮空気導入管６の上端部６Ｂに対して連通状態を維持しながら、水平回転できるように取付けた空気供給管、９Ａ，９Ｂ，９Ｃ，９Ｄはこの空気供給管８に連通状態に取付けた空気噴射ノズルを示す。
【００１６】
これ等各空気噴射ノズル９Ａ〜９Ｄは、図３並びに図４に示す様に、空気供給管８に対して夫々が下向きで、且つ、一方向に（回転方向に対して）斜めに傾斜させた状態で連通接続されると共に、図４に示すようにロータリーエアージヨイント７、即ち、圧縮空気導入管６を回転中心にして、夫々が異なる回転軌跡を示すように回転中心からの距離を違えた位置に取付けられている。
【００１７】
尚、図面には風量調整バルブ４Ｔを流入管４′の内部に取付けた構成が示されているが、この風量調整バルブ４Ｔを排出管５′側に設けたり、或は、流入管４′と排出管５′の双方に取付けてもよく、その選択は任意とする。また、この風量調整バルブ４Ｔは、外部より手動又は自動のいずれかによって作動調整されて、輸送量を任意の量に調整することができる。
【００１８】
本発明に係る粉粒体供給装置は以上述べた如き構成であるから、容器１の内部１Ｈに粉粒体ＦＲを収容し、次いで、ブロアー等の気流発生装置を作動して容器１の入口４から出口５に向けて気流を流通させながら、コンプレッサー（図示省略）等の圧縮空気供給源から図示した下端供給口６Ａを通して圧縮空気を圧縮空気導入管６に送り込むと、この送り込まれた圧縮空気がロータリーエアージヨイント７及び空気供給管８を通って各空気噴射ノズル９Ａ〜９Ｄから勢い良く容器１内に噴射されるため、容器１内の粉粒体ＦＲを舞い上げることができる。
【００１９】
この時、上記各空気噴射ノズル９Ａ〜９Ｄは、空気供給管８に対して一方向に斜めに傾斜した状態で取付られ、然も、図４に示すようにその回転半径が夫々異なるように中心からの距離を違えた位置に取付けられているため、圧縮空気の噴射力によって空気供給管８を水平回転しながら、圧縮空気を容器１の内部１Ｈに向けて満遍無く噴射して、粉粒体ＦＲを均一に分散した状態に舞い上げることができると共に、この様に舞い上げられた粉粒体ＦＲを、そのまま容器１内の上層を流れる輸送用気流に乗せて出口５から排出管５′を通して容器１の外に排出することができる。
【００２０】
そして本発明によれば、上記風量調整バルブ４Ｔを外部より手動又は自動にて作動調整することにより、舞い上げられた粉粒体ＦＲの輸送量を任意の量に調整することを可能にする。
【００２１】
【発明の効果】
以上述べた次第で、本発明に係る粉粒体供給装置によれば、圧縮空気を空気噴射ノズルから噴射させると、その噴射の反動で各空気噴射ノズルが容器内で水平方向に回転するため、容器内に収容した粉粒体の舞い上げを促進し、且つ、粉粒体を均一に分散した状態に舞い上げることができ、その結果、一定量の粉粒体が混合された均一濃度の気流を安定した状態で排出することができるものであって、風量調整バルブを手動又は自動にて作動調整することによって、輸送量（輸送濃度）を加減調節できる点、並びに、空気噴射ノズル及び空気供給管を水平回転するための動力が不要なため、装置全体を比較的簡単に、且つ、低コストにて作ることができる点と相俟って、各種粉粒体の輸送用に使用して洵に好適なものである。
【図面の簡単な説明】
【図１】  本発明に係る粉粒体供給装置の構成を説明した正面図である。
【図２】  同じく一部断面側面図である。
【図３】  同じく一部断面背面図である。
【図４】  内部の構成を説明した平断面図である。
【符号の説明】
１              容器
４              入口
４′            流入管
４Ｔ            風量調整バルブ
５              出口
５′            排出管
６              圧縮空気導入管
７              ロータリーエアージヨイント
８              空気供給管
９Ａ，９Ｂ，９Ｃ，９Ｄ            空気噴射ノズル
ＦＲ            粉粒体
【図１】
0003693897.tif 000002
【図２】
0003693897.tif 000003
【図３】
0003693897.tif 000004
【図４】
0003693897.tif 000005